(57)【特許請求の範囲】
【請求項１】
水洗式便器の便鉢部に連通した便器排水路であって、
前記便鉢部の下端部に連通し、下流側に向かって上昇した上昇流路と、
この上昇流路の下流端部に連続し、下流側に向かって下降した下降流路と、
この下降流路の下流端部に連続し、横方向に延びた横向き流路とを備えており、
前記下降流路と前記横向き流路の境界部における上壁面が流路方向に対する左右両端部の少なくとも一方を中間部よりも上下方向で高く形成していることを特徴とする便器排水路。
【請求項２】
前記境界部における上壁面は流路方向に対する左右両端部が中間部より上下方向で高く形成されていることを特徴とする請求項１記載の便器排水路。
【請求項３】
前記境界部における下壁面は流路方向に対する左右両端部から中央部に向けて下り勾配の湾曲面であることを特徴とする請求項１又は２記載の便器排水路。
【請求項４】
請求項１乃至３のいずれか１項記載の便器排水路の一部を構成する排水接続部材であって、
前記下降流路が上流側の第１流路と、下流側の第２流路とに分割されており、
前記第２流路及び前記横向き流路を内部に形成し、
前記第１流路の下方に向けて開口した下流端開口部と、前記水洗式便器を設置するトイレルームの壁面から引き出した排水管の横方向に向けて開口した上流端開口部とを連結することを特徴とする排水接続部材。
【発明の詳細な説明】
【技術分野】
【０００１】
本発明は便器排水路及び排水接続部材に関する。
【背景技術】
【０００２】
特許文献１は従来の便器排水路を開示している。この便器排水路は水洗式便器の便鉢部に連通している。また、この便器排水路は、上昇流路、下降流路、及び横向き流路を備えている。上昇流路は、便鉢部の下端部に連通し、下流側に向かって上昇している。下降流路は、上昇流路の下流端部に連続し、下流側に向かって下降している。横向き流路は、下降流路の下流端部に連続し、横方向に延びている。このように、この便器排水路は、水洗式便器の便鉢部の下流側に、上昇流路、下降流路、横向き流路の順に各流路を形成している。この便器排水路は下降流路と横向き流路の境界部における上壁面が略水平に形成されている。これによって、この便器排水路は横向き流路の流路面積を下降流路の下流部の流路面積よりも大きく形成している。
【０００３】
このため、この便器排水路は、下降流路よりも横向き流路における流路抵抗が小さく、下降流路から洗浄水は勢いよく横向き流路に流入する。このため、この便器排水路は、上昇流路及び下降流路においても洗浄水がスムーズに流れる。よって、この便器排水路は、便器洗浄の実行によって便鉢部内の洗浄水が勢いよく上昇流路に流入し、便器排水路を流れる。このため、この便器排水路は汚物等を便鉢部から排出することができる。
【先行技術文献】
【特許文献】
【０００４】
【特許文献１】特開２００３−４９４７５号公報
【発明の概要】
【発明が解決しようとする課題】
【０００５】
しかし、特許文献１の便器排水路は、下降流路の下向きの流れが横向き流路の横向きの流れに変わる下降流路と横向き流路の境界部において、上壁面を略水平に形成している。このため、下降流路を下向きに流れた洗浄水が急激に横向きの流れに変化し、下降流路と横向き流路の境界部における左右両端部の流れの遅い部分で洗浄水の流れが淀み、汚物等が良好に横向き流路側へ流れないおそれがある。特に軽いトイレットペーパーは、下降流路と横向き流路の境界部における上壁面の左右両端部付近において、滞留することがある。
【０００６】
本発明は、上記従来の実情に鑑みてなされたものであって、汚物等を良好に排出することができる便器排水路を提供することを解決すべき課題としている。
【課題を解決するための手段】
【０００７】
本発明の便器排水路は、水洗式便器の便鉢部に連通した便器排水路であって、
前記便鉢部の下端部に連通し、下流側に向かって上昇した上昇流路と、
この上昇流路の下流端部に連続し、下流側に向かって下降した下降流路と、
この下降流路の下流端部に連続し、横方向に延びた横向き流路とを備えており、
前記下降流路と前記横向き流路の境界部における上壁面が流路方向に対する左右両端部の少なくとも一方を中間部よりも上下方向で高く形成していることを特徴とする。
【０００８】
この便器排水路は下降流路と横向き流路の境界部における上壁面が流路方向に対する左右両端部の少なくとも一方を中間部よりも上下方向で高く形成している。中間部より上下方向で高く形成した左右両端部の少なくとも一方においては、下降流路を下向きに流れた洗浄水が緩やかに横向きの流れに変化し、横向き流路を流れる。このため、この部分の洗浄水の流れは、スムーズになり、下降流路と横向き流路の境界部における淀みを解消することができる。よって、この便器排水路は軽いトイレットペーパーでも横向き流路へ良好に搬送することができる。
【０００９】
したがって、本発明の便器排水路は、汚物等を良好に排出することができる。
【００１０】
前記境界部における上壁面は流路方向に対する左右両端部が中間部より上下方向で高く形成され得る。この場合、境界部における上壁面の流路方向に対する左右両端部において、洗浄水の流れがスムーズになり、淀みを解消することができる。このため、この便器排水路はさらに汚物等を良好に排出することができる。
【００１１】
前記境界部における下壁面は流路方向に対する左右両端部から中央部に向けて下り勾配の湾曲面であり得る。この場合、流速の速い中央部に比較的重い汚物等が集まりやすくなるため、このような汚物等が下流に搬送されやすくなる。このため、この便器排水路は汚物等を良好に排出することができる。
【００１２】
本発明の排水接続部材は、前記便器排水路の一部を構成する排水接続部材であって、
前記下降流路が上流側の第１流路と、下流側の第２流路とに分割されており、
前記第２流路及び前記横向き流路を内部に形成し、
前記第１流路の下方に向けて開口した下流端開口部と、前記水洗式便器を設置するトイレルームの壁面から引き出した排水管の横方向に向けて開口した上流端開口部とを連結することを特徴とする。
【００１３】
この排水接続部材は、上昇流路及び下降流路の第１流路とは別体に形成することができる。このため、下降流路の第２流路と横向き流路の境界部における上壁面に対して流路方向に対する左右両端部の少なくとも一方を中間部よりも上下方向で高く形成したり、境界部における下壁面に対して流路方向に対する左右両端部から中央部に向けて下り勾配の湾曲面に形成したりすることを容易に、かつ精度よく行うことができる。このため、この排水接続部材を利用することによって、下降流路の第１流路と排水管とを容易に連結することができるとともに、排水接続部材内に形成した下降流路と横向き流路の境界部において、上述したように、洗浄水の流れは、スムーズになり、淀みを解消することができる。
【００１４】
したがって、本発明の排水接続部材は汚物等を良好に排出することができる。
【図面の簡単な説明】
【００１５】
【図１】実施例の水洗式便器を示す断面図である。
【図２】実施例の水洗式便器の要部を示す断面図である。
【図３】図２の矢視Ｚ−Ｚ断面図である。
【発明を実施するための形態】
【００１６】
本発明の便器排水路を備えた水洗式便器を具体化した実施例について、図面を参照しつつ説明する。
【００１７】
＜実施例＞
実施例の水洗式便器は、図１に示すように、便器本体１０と、便器本体１０の後方上部に配置した洗浄タンク２０と、排水接続部材Ｂとを備えている。便器本体１０は、便鉢部１１と、便鉢部１１に連通した便器排水路Ａとを有している。便鉢部１１は、上端開口部の周縁部にリム通水路１２を有している。洗浄タンク２０は下面に吐水口を有している。吐水口は吐水管２１を接続している。吐水管２１から吐水した洗浄水は、リム通水路１２に沿って流れつつ、便鉢部１１の表面に沿って流れ落ちる。
【００１８】
便器排水路Ａは、導入流路１３、上昇流路１４、下降流路１５、及び横向き流路１６を備えている。導入流路１３は便鉢部１１の下端部に連続し、下流側であって便器本体１０の後方（図１において左側）に向かって下方に傾斜している。上昇流路１４は導入流路１３の下流端部に連続し、下流側に向かって上昇している。下降流路１５は、下流側に向かって下降しており、上流側の第１流路１５Ａと、排水接続部材Ｂの内部に形成された第２流路１５Ｂとに分割されている。第１流路１５Ａは上昇流路１４の下流端部に連続し、下流側に向かって下降している。上昇流路１４と第１流路１５Ａとは略逆Ｕ字形状に連続しており、一体に形成されている。
【００１９】
排水接続部材Ｂは、図１及び図２に示すように、下流側に向かって下降した第２流路１５Ｂと、第２流路１５Ｂの下流端部１５Ｄに連続し、横方向に延びた横向き流路１６とを内部に形成している。第２流路１５Ｂは下向きから後ろ方きに湾曲している。横向き流路１６は、第２流路１５Ｂの下流端部１５Ｄに連続し、下流端部１６Ｄが横方向（便器本体１０の後方）に向かって開口している。つまり、排水接続部材Ｂは、第２流路１５Ｂの上流端部１５Ｕが上方向に向かって開口した上流側接続部１５Ｃと、横向き流路１６の下流端部１６Ｄが横方向（便器本体１０の後方）に向かって開口した下流側接続部１６Ｃとを有している。
【００２０】
排水接続部材Ｂは上流側接続部１５Ｃの外側面に外嵌したパッキンＰを有している。このパッキンＰは上流側接続部１５Ｃの周縁部から内側に延びた円環状の鍔部Ｐ１を有している。下降流路１５の第１流路１５Ａの下流端部であって、下方に向けて開口した下流端開口部１５Ｍは、排水接続部材Ｂの上流側接続部１５Ｃ内に挿入され、パッキンＰの鍔部Ｐ１の内周縁部が側面に当接している。これによって、第１流路１５Ａの下流端開口部１５Ｍと排水接続部材Ｂの上流側接続部１５Ｃとが水密状に接続されている。
【００２１】
排水接続部材Ｂは、下流側接続部１６Ｃの外側面に外嵌した、図示しないパッキンを有している。水洗式便器を設置するトイレルームの壁面から引き出した排水管３０の上流端部であって、横方向に向けて開口した上流端開口部に排水接続部材Ｂの下流側接続部１６Ｃが挿入されている。これによって、排水接続部材Ｂの下流側接続部１６Ｃと排水管３０の上流端開口部とが水密状に接続されている。このように、排水接続部材Ｂを利用することによって、下降流路１５の第１流路と排水管３０とを容易に連結することができる。
【００２２】
下降流路１５の第２流路１５Ｂと横向き流路１６の境界部Ｘにおける上壁面１７は、図３に示すように、左右中央に位置する中間部１７Ｂが下方に突出する湾曲面で形成されている。つまり、境界部Ｘにおける上壁面１７は流路方向に対する左右両端部１７Ａが中間部１７Ｂより高く形成されている。また、境界部Ｘにおける下壁面１８は流路方向に対する左右両端部１８Ａから中央部１８Ｂに向けて下り勾配の湾曲面で形成されている。
【００２３】
このように、排水接続部材Ｂは、上昇流路１４及び下降流路１５の第１流路１５Ａとは別体に形成することができるため、下降流路１５の第２流路１５Ｂと横向き流路１６の境界部Ｘにおける上壁面１７に対して流路方向に対する左右両端部１７Ａを中間部１７Ｂよりも高く形成したり、境界部Ｘにおける下壁面１８に対して流路方向に対する左右両端部１８Ａから中央部１８Ｂに向けて下り勾配の湾曲面に形成したりすることを容易、かつ精度よく行うことができる。
【００２４】
次に、このような構成を有する便器排水路Ａを備えた水洗式便器の便器洗浄について説明する。
【００２５】
この水洗式便器は、使用者が用便後に便器洗浄を実行すると、洗浄タンク２０に貯留した洗浄水が吐水管２１を介してリム通水路１２に供給される。リム通水路１２に供給された洗浄水は、リム通水路１２に沿って一方向に流れつつ、便鉢部１１の表面に沿って流れ落ちる。このため、便鉢部１１内に洗浄水の旋回流が形成され、汚物等が便鉢部１１の中心部に集められつつ、便器排水路Ａ内に押し流される。
【００２６】
便器排水路Ａに流入した洗浄水は、導入流路１３、上昇流路１４、下降流路１５、横向き流路１６の順に流れる。排水接続部材Ｂ内であって、下降流路１５の第２流路１５Ｂと横向き流路１６の境界部Ｘにおける上壁面１７は流路方向に対する左右両端部１７Ａが中間部１７Ｂより高く形成されている。このため、下降流路１５の第２流路１５Ｂを流れる下向きの洗浄水が緩やかに横向きの流れに変化し、横向き流路１６を流れる。よって、この部分の洗浄水の流れは、スムーズになり、下降流路１５と横向き流路１６の境界部Ｘにおける淀みを解消することができる。よって、この便器排水路Ａは軽いトイレットペーパーでも横向き流路１６へ良好に搬送することができる。
【００２７】
したがって、実施例の便器排水路Ａを備えた水洗式便器は、汚物等を良好に排出することができる。
【００２８】
また、境界部Ｘにおける下壁面１８は流路方向に対する左右両端部１８Ａから中央部１８Ｂに向けて下り勾配の湾曲面である。このため、流速の速い中央部に比較的重い汚物等が集まりやすくなるため、このような汚物等が下流に搬送されやすくなる。このため、この便器排水路Ａは汚物等を良好に排出することができる。
【００２９】
本発明は上記記述及び図面によって説明した実施例に限定されるものではなく、例えば次のような実施例も本発明の技術的範囲に含まれる。
（１）実施例では、下降流路を第１流路と第２流路とに分割し、第２流路と横向き流路とを内部に形成した排水接続部材とを備えたが、下降流路を第１流路と第２流路とに分割せず、かつ下降流路の下流端に連続して横向き流路を形成してもよい。
（２）実施例では、境界部における上壁面は流路方向に対する左右両端部が中間部より高く形成されているが、左右両端部の一方のみを中間部より高く形成してもよい。
（３）実施例では、境界部における上壁面は中央部が下方に突出する湾曲面で形成されているが、中央部が突出した形状であれば湾曲面でなくてもよい。
（４）実施例では、境界部における下壁面は流路方向に対する左右両端部から中央部に向けて下り勾配の湾曲面であるが、湾曲面でなく、左右両端部から中央部に向けて下り勾配の傾斜面であってもよい。また、境界部における下壁面は水平面であってもよい。
（５）実施例では、境界部の上壁面の中間部が左右中央に位置していたが、左右どちらか一方に偏った位置に中間部を設けてもよい。
（６）実施例の排水接続部材は、サイホン式便器、洗い落とし式便器等、各種水洗式便器に採用することができる。
【符号の説明】
【００３０】
１１…便鉢部
１４…上昇流路
１５…下降流路
１５Ａ…第１流路
１５Ｂ…第２流路
１５Ｍ…（第１流路の）下流端開口部
１６…横向き流路
１７…上壁面
１７Ａ…（上壁面の）左右両端部
１７Ｂ…（上壁面の）中間部
１８…下壁面
１８Ａ…（下壁面の）左右両端部
１８Ｂ…中央部
Ａ…便器排水路
Ｂ…排水接続部材
Ｘ…境界部
【図１】
0005916117.tif 000002
【図２】
0005916117.tif 000003
【図３】
0005916117.tif 000004